(57)【要約】【課題】  複数のフロートスイッチを設けることなく、一つのフロートスイッチで複数の水位検知を可能とする自動運転型水中ポンプを提供する。【解決手段】  モータ３を原動機とする自動運転型水中ポンプにおいて、液位の増減に伴い浮遊傾斜姿勢が変化するよう自動運転型水中ポンプに繋留された一つのフロート６内に、内部に突起部１３が設けられたストレート形状の管体１０内に移動可能な形態の磁性体１１を封入し、該管体１０の両端に第一と第二のリードスイッチ９Ａ、９Ｂを装備し、該フロート６の浮遊傾斜姿勢の変化に伴い、該磁性体１１が、前記第一と第二のリードスイッチ９Ａ、９Ｂに近接あるいは離隔することで得られる夫々の水位に対応した検知信号に応じて、運転水位ｈ３でモータ３が起動し、停止水位ｈ２でモータ３が停止し、異常水位ｈ５でモータ３が緊急時の運転対応を行うよう構成したことを特徴とする自動運転型水中ポンプ。【選択図】図４
2015076376.tif 000002
【特許請求の範囲】
【請求項１】
モータを原動機とする自動運転型水中ポンプにおいて、液位の増減に伴い浮遊傾斜姿勢が変化するよう自動運転型水中ポンプに繋留された一つのフロート内に、内部に突起部が設けられたストレート形状の管体を具備し、該管体内には移動可能な形態の磁性体を封入し、該管体の両端に第一と第二のリードスイッチを装備し、該管体端部の一方または他方が垂下されることで、該管体内に封入された磁性体が、該垂下端側の管体端に装備された第一または第二のリードスイッチに近接することで、当該リードスイッチが磁化されて接点が閉じ、液位の増加に伴い前記垂下端側の管体端が、上に傾くことで、前記磁性体が移動し、前記突起部にて一旦係止保持され、第一と第二のリードスイッチ双方の磁化が解除されて接点が開き、さらに液位が増加することで、前記磁性体は前記突起部を乗り越え、前記垂下端側の他方のリードスイッチに近接して接点が閉じることから、該フロートの浮遊傾斜姿勢の変化に伴う夫々の水位に対応した、第一または第二のリードスイッチの検知信号に応じて、モータの起動または停止が切換えられるよう構成されることを特徴とする自動運転型水中ポンプ。
【請求項２】
前記磁性体が内接する前記管体内壁面から前記磁性体の重心までの距離は、前記突起部が設置される前記管体内壁面から前記突起部の頂端までの高さより高く構成されることを特徴とする請求項１記載の自動運転型水中ポンプ。
【請求項３】
前記突起部の頂端と、前記管体の内壁面までの対向空間距離は、前記磁性体の全高より大きく構成されることを特徴とする請求項１または２に記載の自動運転型水中ポンプ。
【請求項４】
前記磁性体は、球体で構成されることを特徴とする請求項１から３のいずれかに記載の自動運転型水中ポンプ。
【請求項５】
前記突起部の縦断面形状は、三角形、矩形、台形、半円形状のいずれかで構成される事を特徴とする請求項１から４のいずれかに記載の自動運転型水中ポンプ。
【請求項６】
前記突起部は、前記管体の一部を曲げて一体形成していることを特徴とする請求項１から５のいずれかに記載の自動運転型水中ポンプ。
【請求項７】
前記突起部の横断面形状は三日月、矩形、半月形状のいずれかで構成されることを特徴とする請求項１から６のいずれかに記載の自動運転型水中ポンプ。
【発明の詳細な説明】
【技術分野】
【０００１】
本発明は、水位の変動に伴うフロートスイッチの姿勢変化により水位検知がなされることで、モータの起動および停止の切換えがなされる自動運転型水中ポンプに関するものである。
【背景技術】
【０００２】
異常水位、運転水位（上限水位）、停止水位（下限水位）に対応する三つのフロートスイッチをポンプ外部に繋留し、該三つのフロートスイッチの姿勢変化により、槽内の水位を検知し、ポンプ装置の起動および停止の切換えがなされるよう構成された自動運転型水中ポンプは公知である（例えば、特許文献１参照。）。
【０００３】
なお、フロートスイッチに内蔵されるリードスイッチは、ストレート形状の管体（摺動案内軸）内に内装され、水位の変動により該管体の傾斜姿勢が変化することで、該管体の外周を摺動する環状マグネットの磁化作用によって、該リードスイッチの接点が閉じたり開いたりすることで、水位の検出を行う自動運転型水中ポンプのフロートスイッチの構造は公知である（例えば、特許文献２参照。）。
【先行技術文献】
【特許文献】
【０００４】
【特許文献１】特開２００３−２６９３５９号公報
【特許文献２】特開２００６−２４４７５１号公報
【発明の概要】
【発明が解決しようとする課題】
【０００５】
しかし、特許文献１のような構成の自動運転型水中ポンプにおいては、水位に応じた複数のフロートスイッチが必要であるため、コストが高くなるとともに、フロートスイッチの配線等によりポンプの構造が複雑化する上に、フロートスイッチ同士が絡み合い、あるいはフロート同士が干渉しあう為、各フロートスイッチの位置調整が困難であるという問題がある。
【０００６】
なお、特許文献２のようなフロートスイッチに内蔵されるリードスイッチは、ストレート形状の管体（摺動案内軸）内に内装され、水位の変動により該管体の傾斜姿勢が変化することで、該管体の外周を摺動する環状マグネットの磁化作用の有無によって、該リードスイッチの接点が閉じたり開いたりする構成では、該管体の中間位置で該環状マグネットを一旦係止保持させるために、該管体外周に突起部を設けた場合、該突起部を摺動しながら確実に乗越えて切替させるためには、該環状マグネットの内径を大きく形成しなければならないことから、摺動に際して該環状マグネットの傾き姿勢が不安定であるので、環状マグネットの磁化作用を安定且つ有効に該リードスイッチに作用させることができないという問題を有している。
【０００７】
そこで、本発明は複数のフロートスイッチを設けることなく、リードスイッチを備えるシンプルなストレート形状の管体を内装する一つのフロートスイッチで、安定した磁化作用をリードスイッチに与え、異常水位、運転水位、停止水位の三つの水位を検知可能に構成された自動運転型水中ポンプを提供することを目的とする。
【課題を解決するための手段】
【０００８】
本発明に係る請求項１記載の自動運転型水中ポンプでは、モータを原動機とする自動運転型水中ポンプにおいて、液位の増減に伴い浮遊傾斜姿勢が変化するよう自動運転型水中ポンプに繋留された一つのフロート内に、内部に突起部が設けられたストレート形状の管体を具備し、該管体内には移動可能な形態の磁性体を封入し、該管体の両端に第一と第二のリードスイッチを装備し、該管体端部の一方または他方が垂下されることで、該管体内に封入された磁性体が、該垂下端側の管体端に装備された第一または第二のリードスイッチに近接することで、当該リードスイッチが磁化されて接点が閉じ、液位の増加に伴い前記垂下端側の管体端が、上に傾くことで、前記磁性体が移動し、前記突起部にて一旦係止保持され、第一と第二のリードスイッチ双方の磁化が解除されて接点が開き、さらに液位が増加することで、前記磁性体は前記突起部を乗り越え、前記垂下端側の他方のリードスイッチに近接して接点が閉じることから、該フロートの浮遊傾斜姿勢の変化に伴う夫々の水位に対応した、第一または第二のリードスイッチの検知信号に応じて、モータの起動または停止が切換えられるよう構成したことを最も主要な特徴とする。
【０００９】
本発明に係る請求項２記載の自動運転型水中ポンプでは、請求項１記載の自動運転型水中ポンプであって、前記磁性体が内接する前記管体内壁面から前記磁性体の重心までの距離は、前記突起部が設置される前記管体内壁面から前記突起部の頂端までの高さより高く構成される。
【００１０】
本発明に係る請求項３記載の自動運転型水中ポンプでは、請求項１または２のいずれかに記載の自動運転型水中ポンプであって、前記突起部の頂端と、前記管体の内壁面までの対向空間距離は、前記磁性体の全高より大きく構成される。
【００１１】
本発明に係る請求項４記載の自動運転型水中ポンプでは、請求項１から３のいずれかに記載の自動運転型水中ポンプであって、前記磁性体は、球体で構成される。
【００１２】
本発明に係る請求項５記載の自動運転型水中ポンプでは、請求項１から４のいずれかに記載の自動運転型水中ポンプであって、前記突起部の縦断面形状は、三角形、矩形、台形、半円形状のいずれかで構成される。
【００１３】
本発明に係る請求項６記載の自動運転型水中ポンプでは、請求項１から５のいずれかに記載の自動運転型水中ポンプであって、前記突起部は、前記管体の一部を曲げて一体形成している。
【００１４】
本発明に係る請求項７記載の自動運転型水中ポンプでは、請求項１から６のいずれかに記載の自動運転型水中ポンプであって、前記突起部の横断面形状は三日月、矩形、半月形状のいずれかで構成される。
【発明の効果】
【００１５】
本発明の自動運転型水中ポンプによれば、水位の増減に伴い浮遊傾斜姿勢が変化するようポンプ外部に繋留された一つのフロート内に、内部に突起部が設けられたストレート形状の管体を備え、該管体内を移動可能な磁性体を封入し、該管体の両端に第一と第二のリードスイッチを装備し、フロートの浮遊傾斜姿勢の変化に伴い前記磁性体が前記ストレート形状の管体内を円滑に移動するよう構成されており、該磁性体が内接する該管体の内壁面から前記磁性体の重心位置までの距離 (高さ)は、前記突起部の該管体の内壁面から突起部の頂端までの高さよりわずかに高く構成されているので、水位の増加に伴うフロートの浮遊傾斜姿勢の変化により、管体の傾斜が急になり、磁性体が管体内を移動して突起部にて確実に一旦係止保持されるが、該係止保持状態からさらに水位が増加することで、管体の傾斜がさらに急になって垂直方向へ姿勢変化し、磁性体の重心位置が突起部の頂端の限界を越えるよう磁性体が移動するので、磁性体は円滑に突起部を乗り越えるように構成されており、摺動に際して磁性体の傾斜姿勢が不安定になることなく、第一と第二のリードスイッチに安定した磁化作用を与えることができるので、磁性体が突起部にて一旦係止保持され、第一と第二のリードスイッチ双方の接点が開く水位を運転水位として、また磁性体が第一または第二のリードスイッチのいずれかに近接し、該第一または第二のリードスイッチいずれかの接点が閉じる水位を異常水位、あるいは停止水位として検知を行うので、二つのリードスイッチを備えるシンプルなストレート形状の管体を内装する一つのフロートスイッチで異常水位、運転水位、停止水位の三点の検知を確実に行うことが可能となるよう構成することができる。
【００１６】
前記突起部は、その縦断面形状が矩形を除く他の形態において、突起部の一辺を直角に近づける構成とすることで、前記磁性体をより一層確実に一旦係止保持することが可能となる。
【００１７】
更にまた、前記突起部を複数個設けることで、突起部が一つの構成に比べてより一層確実に前記磁性体を前記突起部にて一旦係止保持する事が可能となる。
【図面の簡単な説明】
【００１８】
【図１】本発明に係る自動運転型水中ポンプの一実施形態を示す模式図である。
【図２】図１に示す自動運転型水中ポンプの動作を槽内の水位の変化を示すタイミングチャートである。
【図３】実施例１の各水位におけるフロートスイッチの状態を示す縦断面図であり、（Ａ）は停止水位ｈ２の状態を示し、（Ｂ）は運転水位ｈ３の状態を示し、（Ｃ）は異常水位ｈ５の状態を示す。
【図４】図３（Ｂ）の突起部による磁性体の係止保持状態および磁性体が突起部を乗り越える状態を説明する為の要部拡大縦断面図である。
【図５】図４の突起部の断面を長方形にした変形例を示す要部拡大縦断面図である。
【図６】図４の突起部の断面を台形にした変形例を示す要部拡大縦断面図である。
【図７】図４の突起部の断面を湾曲変形させ半円形状にした変形例を示す要部拡大縦断面図である。
【図８】図４の突起部の断面を三角形とし、大きさの異なる突起部を複数個並べて配置した変形例を示す要部拡大縦断面図である。
【図９】図４の突起部の断面形状を三角形とし、突起部を対向させて配置した変形例を示す要部拡大縦断面図である。
【図１０】図４のＡ−Ａ線における突起部側面形態を三日月状に形成した横断面図である。
【図１１】図４のＡ−Ａ線における突起部側面形態を長方形に形成した横断面図である。
【図１２】図４のＡ−Ａ線における突起部側面形態を半月形状に形成した横断面図である。
【発明を実施するための最良の形態】
【００１９】
以下、本発明の自動運転型水中ポンプの実施の形態を実施例に基づき、図面を参照して詳細に説明する。なお、この実施例の形態によりこの発明が限定されるものではない。
【００２０】
図１に示すように、本発明の主ポンプＡの自動運転型水中ポンプは、ポンプケーシング１と、自動運転型水中ポンプの外部に繋留され、水位の増減に伴い浮遊傾斜姿勢が変化することで水位を検知する一つのフロートスイッチ２ａと、ポンプケーシング１の上部に位置し、羽根車を回転させるモータ３と、フロートスイッチ２ａの検知信号に応じてモータ３の運転の制御を行う制御部４と、該制御部４を収容するヘッドカバ５から構成される。
【００２１】
そして、本発明の主ポンプＡの自動運転型水中ポンプは、一般的に自動交互運転の為に別途副ポンプＢを用いて、主ポンプＡと副ポンプＢの交互運転により液槽内の水の排水を行うよう構成されており、本実施形態では、主ポンプＡが２回に１回の割合で運転開始するよう、一回運転するごとに運転モードと停止モードを切り替える設定がなされている。
【００２２】
主ポンプＡは一つのフロートスイッチ２ａを具備し、副ポンプＢは二つのフロートスイッチ２ｂおよび２ｃを具備しており、主ポンプＡのフロートスイッチ２ａは異常水位ｈ５と主ポンプＡの運転水位ｈ３および停止水位ｈ２を検知し、副ポンプＢのフロートスイッチ２ｂは副ポンプＢの運転水位ｈ４を検知し、フロートスイッチ２ｃは副ポンプＢの停止水位ｈ１を検知するように構成されており、夫々の検知水位の位置関係は、主ポンプＡの停止水位ｈ２は副ポンプＢの停止水位ｈ１よりも高い位置に設定されており、副ポンプＢの運転水位ｈ４は主ポンプＡの運転水位ｈ３よりも高い位置に設定されており、また、異常水位ｈ５は副ポンプＢの運転水位ｈ４より高い位置に設定されている。
【００２３】
前記各フロートスイッチ２ａ，２ｂ，２ｃの検知水位の配置関係において、正常な槽内流入時における主ポンプＡと副ポンプＢの運転の動作態様について図１と図２を用いて説明すると、先ず主ポンプＡが運転モードである場合、水位が漸増し、副ポンプＢの停止水位ｈ１、主ポンプＡの停止水位ｈ２の順に水位が増し、主ポンプＡの運転水位ｈ３に到達すると、主ポンプＡが起動し（Ｐ１）、排水が開始されることで主ポンプＡの運転水位ｈ３から低下して、主ポンプＡの停止水位ｈ２を下回ることで、主ポンプＡは停止する（Ｐ２）と共に、停止モードで待機する。
【００２４】
そして、水位が漸増して主ポンプＡの運転水位ｈ３に到達されるが、主ポンプＡは停止モードであることから、主ポンプＡは起動することなく停止状態が継続される（Ｐ３）ので、さらに水位が上昇して副ポンプＢの運転水位ｈ４に到達すると、副ポンプＢが起動し（Ｐ４）、排水が開始されることで水位が低下し、水位は異常水位ｈ５に到達することなく順次低下し、主ポンプＡの運転水位ｈ３からさらに低下して、主ポンプＡの停止水位ｈ２を下回ることで主ポンプＡは運転モードに切替られて停止状態を継続しながら待機し、さらに水位が副ポンプＢの停止水位ｈ１を下回ることで、副ポンプＢは停止する（Ｐ５）。
【００２５】
再び水位が漸増して主ポンプＡの運転水位ｈ３に到達すると運転モード待機中の主ポンプＡが起動し（Ｐ６）、排水が開始されることで主ポンプＡの運転水位ｈ３から低下して、主ポンプＡの停止水位ｈ２を下回ることで、主ポンプＡは停止する（Ｐ２）と共に、停止モードで待機することとなり、前述の如く自動的に主ポンプＡと副ポンプＢが交互に運転と停止を繰り返す交互運転が行われる。
【００２６】
次に異常な槽内流入時の場合において、主ポンプＡが停止モードで待機している場合、液槽内の水位が漸増し、副ポンプＢの停止水位ｈ１、主ポンプＡの停止水位ｈ２の順に水位が増し、主ポンプＡの運転水位ｈ３に到達するが、主ポンプＡは起動することなく停止状態が継続される（Ｐ３）ので、水位が上昇して副ポンプＢの運転水位ｈ４に到達すると、副ポンプＢが起動し（Ｐ４）、排水が開始されるが、液槽内への流入量が副ポンプＢの排水量を上回る異常時では、液槽内の水位が上昇し続ける事となり、液槽内の水位が異常水位ｈ５にまで達すると主ポンプＡも起動し（Ｐ７）、主ポンプＡと副ポンプＢの双方のポンプによる排水が行われることで、液槽内の水位が低下して主ポンプＡの停止水位ｈ２を下回るまでは主ポンプＡと副ポンプＢの双方のポンプは運転を継続し、該停止水位ｈ２を下回ると主ポンプＡは運転を停止する（Ｐ８）と共に運転モードで待機するが、副ポンプＢはそのまま運転され、さらに水位がｈ１を下回ると副ポンプＢの運転が停止する（Ｐ９）。
【００２７】
そして、主ポンプＡが運転モードで待機している場合、液槽内の水位が漸増し、副ポンプＢの停止水位ｈ１、主ポンプＡの停止水位ｈ２の順に水位が増し、主ポンプＡの運転水位ｈ３に到達すると、主ポンプＡが起動し（Ｐ１ｏｒＰ６）、排水が開始されるが、液槽内への流入量が主ポンプＡの排水量を上回る異常時では、液槽内の水位が上昇し続ける事となり、液槽内の水位が副ポンプＢの運転水位ｈ４に到達すると、副ポンプＢも起動し（Ｐ４）、主ポンプＡと副ポンプＢの双方のポンプによる排水が行われることで、液槽内の水位が低下して主ポンプＡの停止水位ｈ２を下回るまでは主ポンプＡと副ポンプＢの双方のポンプは運転を継続し、該停止水位ｈ２を下回ると主ポンプＡの運転が停止する（Ｐ８）と共に停止モードで待機するが、副ポンプＢはそのまま運転され、さらに水位がｈ１を下回ると副ポンプＢの運転が停止する（Ｐ９）。
【００２８】
更にまた、前記主ポンプＡと、副ポンプＢの双方のポンプによる排水が行われても、更に液槽内の水位が増し、異常水位ｈ５に到達した場合の別対応の実施例として、例えば液槽内への流入量が異常である旨の警報を発したり、液槽内への流入を止める事や、更に他のポンプを運転させる等の制御を行うこともできる。
【００２９】
以上のような構成の自動運転型水中ポンプに基づき、本発明の主ポンプＡに適用されるフロートスイッチ２ａについて、実施例を以下に説明する。
【実施例１】
【００３０】
図３（Ａ）乃至（Ｃ）において、実施例１における主ポンプＡのフロートスイッチ２ａは、電線挿入口７からの挿入電線８により繋留され水位の増減に伴い浮遊傾斜姿勢が変化するようにした中空密閉状のフロート６、フロートスイッチ２ａの浮遊傾斜姿勢の変更に伴い接点が開閉される第一のリードスイッチ９Ａおよび第二のリードスイッチ９Ｂ、ストレート形状に形成された管体１０の両端に、例えば該両端部分を封止するストッパ１２外端面、或いは管体１０の両端外周面に、該第一のリードスイッチ９Ａおよび第二のリードスイッチ９Ｂが装備された管体１０、該管体１０内に封入されフロートスイッチ２ａの浮遊傾斜姿勢の変更に伴い前記管体１０内を移動する磁性体１１、管体１０の両端部分を封止するストッパ１２、管体１０内に設けられ磁性体１１の移動を規制する突起部１３から構成され、突起部１３は、管体１０とは別部品で構成することもできるが、望ましくは管体１０と一体形成することも可能である。
【００３１】
図４に示すように、槽内の水位増加によりフロートスイッチ２ａの傾斜が大きくなると、磁性体１１が突起部１３により一旦係止保持され、フロートの傾斜がさらに上傾姿勢となることで磁性体１１が突起部１３を無理なく円滑に乗り越え可能となるように、管体１０の内壁面から磁性体１１の重心までの距離Ｈ２は、管体１０の内壁面から突起部１３の頂端までの高さＨ１より望ましくはわずかに高く構成されており、また、磁性体１１の全高（直径）φ１より、突起部１３の頂端から管体１０の内壁面までの対向空間距離Ｈ３は望ましくはわずかに大きく構成されている。
【００３２】
また、突起部１３は、例えば図５に示す長方形や図６に示す台形の断面形状に構成することや、あるいは図７に示すように管体内壁面を湾曲変形させた半円形状に構成する事や、図８に示すように上部突起部１３ｕと下部突起部１３ｄを管体１０内において対向させて配置する構成も可能であるが、望ましくは図４に示すように主ポンプＡの停止信号用の第二のリードスイッチ９Ｂ側の辺が直角に近づくよう構成し、磁性体１１が第二のリードスイッチ９Ｂ側から第一のリードスイッチ９Ａ側へ移動する際に、磁性体１１は突起部１３により一旦係止保持され、かつ磁性体１１が第一のリードスイッチ９Ａ側から第二のリードスイッチ９Ｂ側へ移動する際は、磁性体１１が突起部１３の傾斜面に沿って突起部１３を円滑に乗り越えるよう構成する。
【００３３】
さらに、図４の構成に比べ、より一層突起部１３が磁性体１１を一旦係止保持しやすくするように、例えば図９に示すように異なる大きさの第一の突起部１３aと、第二の突起部１３ｂを磁性体１１が一旦確実に係止保持される間隔または形状で並べて配置する構成とする事も可能である。
【００３４】
また、図４のＡ−Ａ線における突起部１３の横断面形状は、例えば図１０に示す略三日月形状や、図１１に示す長方形や、図１２に示すように円弧部分が管体１０の内壁面に沿った半月形状で構成する事も可能であり、磁性体１１の通過空間部分が狭い図１０の略三日月形状を採用することが最も望ましく、これらの構成は図４乃至図９のいずれの形状の突起部１３にも適用可能である。
【００３５】
例えば、磁性体１１の形状は、球体形状やラグビーボール状で構成することが可能であり、管体１０内を円滑に動くよう球体形状をしている事が望ましい。
【００３６】
第一のリードスイッチ９Ａおよび第二のリードスイッチ９Ｂは、それぞれ磁化されて接点が閉じ、磁化が解除されて接点が開くよう構成されており、図１と図３におけるフロートスイッチ２ａの各水位における第一のリードスイッチ９Ａおよび第二のリードスイッチ９Ｂの接点の開閉状態を表１に示す。
【００３７】
【表１】
2015076376.tif 000003
【００３８】
従って、液槽内の水位が主ポンプＡの停止水位ｈ２にある場合、例えば図３（Ａ）に示すようにフロートスイッチ２ａが真下に垂れ下がっており、管体１０は、第一のリードスイッチ９Ａ側が垂下し、第二のリードスイッチ９Ｂ側が立設しているので、磁性体１１は重力により第一のリードスイッチ９Ａから離隔し、第二のリードスイッチ９Ｂに接近するよう移動して、第二のリードスイッチ９Ｂ側のストッパ１２にて停止するので、第一のリードスイッチ９Ａの接点は開いた状態（ＯＦＦ）となるが、第二のリードスイッチ９Ｂの接点は閉じた状態（ＯＮ）となり、このように第二のリードスイッチ９Ｂの接点のみが閉じた状態（ＯＮ）にある場合、フロートスイッチ２ａにより液槽内の水位は主ポンプＡの停止水位ｈ２である事が検知される。
【００３９】
しかし、液槽内の水位が漸増し、主ポンプＡの運転水位ｈ３に到達すると、例えば図３（Ｂ）に示すようにフロートスイッチ２ａは上傾姿勢となり、それに伴い管体１０の第二のリードスイッチ９Ｂ側が上に傾き、管体１０のリードスイッチ９Ａ側が下に傾くので、磁性体１１は重力により下向きに移動し、突起部１３にて一旦係止保持されることで移動を停止し、磁性体１１は第一のリードスイッチ９Ａと第二のリードスイッチ９Ｂから離隔しているので第一のリードスイッチ９Ａの接点は開いた（ＯＦＦ）状態を維持するとともに、第二のリードスイッチ９Ｂの接点も開いた状態（ＯＦＦ）となり、このように第一のリードスイッチ９Ａの接点と、第二のリードスイッチ９Ｂの接点がともに開いた状態（ＯＦＦ）になると、フロートスイッチ２ａにより液槽内の水位が運転水位ｈ３に到達した事が検知され、主ポンプＡが起動し、排水が開始される。
【００４０】
さらに水位が増し、異常水位ｈ５に到達すると、例えば図３（Ｃ）に示すように、フロートスイッチ２ａは図３（Ａ）の状態から反転状態の姿勢となって真上を向き、管体１０の第二のリードスイッチ９Ｂ側が垂下し、第一のリードスイッチ９Ａ側が立設しているので、磁性体１１は、重力により突起部１３を乗り越え、第二のリードスイッチ９Ｂから離隔し、第一のリードスイッチ９Ａに接近するよう移動し、第一のリードスイッチ９Ａ側のストッパ１２にて停止するので、第一のリードスイッチ９Ａの接点は閉じた状態（ＯＮ）となるが、第二のリードスイッチ９Ｂの接点は開いた状態（ＯＦＦ）を維持し、このように第一のリードスイッチ９Ａの接点のみが閉じた状態（ＯＮ）になると、フロートスイッチ２ａにより液槽内の水位が主ポンプに異常水位ｈ５に到達した事が検知され、前記段落番号００２１乃至００２３記載のように、主ポンプＡと副ポンプＢは適正に緊急時の運転対応を行う。
【符号の説明】
【００４１】
３      モータ
６      フロート
９Ａ    第一のリードスイッチ
９Ｂ    第二のリードスイッチ
１０    管体
１１    磁性体
１３    突起部
【図１】
2015076376.tif 000004
【図２】
2015076376.tif 000005
【図３】
2015076376.tif 000006
【図４】
2015076376.tif 000007
【図５】
2015076376.tif 000008
【図６】
2015076376.tif 000009
【図７】
2015076376.tif 000010
【図８】
2015076376.tif 000011
【図９】
2015076376.tif 000012
【図１０】
2015076376.tif 000013
【図１１】
2015076376.tif 000014
【図１２】
2015076376.tif 000015